Podtech/llm-jp-corpus-v4-ja_patent huggingface dataset:
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
回路であって、
受信機に結合されるように適合され、複数のチャープを受信するように構成されるポートと、
前記ポートに結合されるプロセッサであって、
前記ポートによって受信された複数のチャープに基づいて信号の仮想アレイベクトルＳにおける位相シフト（φｄ）を推定し、
補正された仮想アレイベクトルＳｃを生成するためにφｄを用いて前記仮想アレイベクトルＳの各要素の位相を補正し、
補正された仮想アレイスペクトルを生成するために前記補正された仮想アレイベクトルＳｃに対して第１のフーリエ変換を実施し、
検出されたシグネチャに対応する物体が最大速度より速い絶対速度を有することを示す前記シグネチャを検出するために前記補正された仮想アレイスペクトルを解析する、
ように構成される、前記プロセッサと、
を含む、回路。
【請求項２】
請求項１に記載の回路であって、
前記プロセッサが、
前記検出されたシグネチャに対応する位相誤差ベクトルを用いて前記補正された仮想アレイベクトルＳｃを補正し、
結果として得られるマトリックスから前記シグネチャが取り除かれたか否かを判定するために前記結果として得られたマトリックスに対して第２のフーリエ変換を実施する、
ように更に構成される、回路。
【請求項３】
請求項１に記載の回路であって、
前記プロセッサが、式ｖｅｓｔ＝φｄλ／４πＴｃを用いて前記物体の速度を計算するように更に構成され、Ｔｃがチャープ期間であり、λが前記チャープの波長であり、ｖｔｒｕｅ＝ｖｅｓｔ＋２ｖｍａｘ（ｖｅｓｔ＜０の場合）又はｖｔｒｕｅ＝ｖｅｓｔ−２ｖｍａｘ（ｖｅｓｔ＞０の場合）であり、ｖｔｒｕｅが前記正しい速度であり、ｖｍａｘが式ｖｍａｘ＝λ／４Ｔｃによって判定される、回路。
【請求項４】
請求項１に記載の回路であって、
前記プロセッサが、Ｓｃを解析することによって前記シグネチャが複数の物体によって生じたか否かを判定するように更に構成される、集積回路。
【請求項５】
方法であって、
受信機によって複数のチャープを受信することと、
前記受信機によって受信された複数のチャープに基づいて信号の仮想アレイベクトルＳにおける位相シフト（φｄ）を推定することと、
補正された仮想アレイベクトルＳｃを生成するためにφｄを用いて前記仮想アレイベクトルＳの各要素の位相を補正することと、
補正された仮想アレイスペクトルを生成するために前記補正された仮想アレイベクトルＳｃに対して第１のフーリエ変換を実施することと、
検出されたシグネチャに対応する物体が最大速度より速い絶対速度を有することを示す前記シグネチャを検出するために前記補正された仮想アレイスペクトルを解析することと、
を含む、方法。
【請求項６】
請求項５に記載の方法であって、
前記検出されたシグネチャに対応する位相誤差ベクトルを用いて前記補正された仮想アレイベクトルＳｃを補正することと、
結果として得られるマトリックスから前記シグネチャが取り除かれたか否かを判定するために前記結果として得られたマトリックスに対して第２のフーリエ変換を実施することと、
を更に含む、方法。
【請求項７】
請求項５に記載の方法であって、
式ｖｅｓｔ＝φｄλ／４πＴｃを用いて前記物体の速度を判定することであって、Ｔｃがチャープ期間であり、λが前記チャープの波長であり、ｖｔｒｕｅ＝ｖｅｓｔ＋２ｖｍａｘ（ｖｅｓｔ＜０の場合）又はｖｔｒｕｅ＝ｖｅｓｔ−２ｖｍａｘ（ｖｅｓｔ＞０の場合）であり、ｖｔｒｕｅが前記正しい速度であり、ｖｍａｘが式ｖｍａｘ＝λ／４Ｔｃによって判定される、前記判定することを更に含む、方法。
【請求項８】
請求項５に記載の方法であって、
Ｓｃを解析することによって前記シグネチャが複数の物体によって生じたか否かを判定することを更に含む、方法。
【請求項９】
レーダシステムであって、
複数のチャープを受信するように構成される受信機と、
前記受信機に結合されるプロセッサであって、
前記受信された複数のチャープに基づいて信号の仮想アレイベクトルＳにおける位相シフト（φｄ）を推定し、
補正された仮想アレイベクトルＳｃを生成するためにφｄを用いて前記仮想アレイベクトルＳの各要素の位相を補正し、
補正された仮想アレイスペクトルを生成するために前記補正された仮想アレイベクトルＳｃに対して第１のフーリエ変換を実施し、
検出されたシグネチャに対応する物体が最大速度より速い絶対速度を有することを示す前記シグネチャを検出するために前記補正された仮想アレイスペクトルを解析する、
ように構成される、前記プロセッサと、
を含む、レーダシステム。
【請求項１０】
請求項９に記載のレーダシステムであって、
前記プロセッサが、
前記検出されたシグネチャに対応する位相誤差ベクトルを用いて前記補正された仮想アレイベクトルＳｃを補正し、
結果として得られるマトリックスから前記シグネチャが取り除かれたか否かを判定するために前記得られたマトリックスに対して第２のフーリエ変換を実施する、
ように更に構成される、レーダシステム。
【請求項１１】
請求項９に記載のレーダシステムであって、
前記プロセッサが、前記物体の速度を判定するように更に構成される、レーダシステム。
【請求項１２】
請求項９に記載のレーダシステムであって、
前記プロセッサが、式ｖｅｓｔ＝φｄλ／４πＴｃを用いて前記物体の速度を判定するように更に構成され、Ｔｃがチャープ期間であり、λが前記チャープの波長であり、ｖｔｒｕｅ＝ｖｅｓｔ＋２ｖｍａｘ（ｖｅｓｔ＜０の場合）又はｖｔｒｕｅ＝ｖｅｓｔ−２ｖｍａｘ（ｖｅｓｔ＞０の場合）であり、ｖｔｒｕｅが前記正しい速度であり、ｖｍａｘが式ｖｍａｘ＝λ／４Ｔｃによって判定される、レーダシステム。
【請求項１３】
請求項９に記載のレーダシステムであって、
前記プロセッサが、Ｓｃを解析することによって前記シグネチャが複数の物体によって生じたか否かを判定するように更に構成される、レーダシステム。
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
処理ユニットを備える、画像情報内の生物学的対象物の輪郭を識別する診断支援システムであって、
前記処理ユニットは、スーパーピクセルに分割されている画像情報を受信し、前記画像情報内の初期ロケーションにおいて前記画像情報内のスーパーピクセルの初期セットを選択し、スーパーピクセルの前記初期セットの第１の形態変数を決定し、前記画像情報内の更なるロケーションにおいてスーパーピクセルの前記初期セットの１つのスーパーピクセルに隣接するスーパーピクセルの更なるセットを識別し、スーパーピクセルの前記初期セット及び前記更なるセットの結合体の第２の形態変数を生成し、前記初期セット及び前記更なるセットの前記結合体が、増加した形状コンパクト化を有することを前記第２の形態変数と前記第１の形態変数との比較が示す場合、前記画像情報内の生物学的対象物の前記輪郭をスーパーピクセルの前記初期セット及び前記更なるセットの前記結合体の境界として規定する、
診断支援システム。
【請求項２】
入力ユニットを更に備え、
前記入力ユニットは、ユーザから前記初期ロケーションにスーパーピクセルを有する前記画像情報内の前記初期ロケーションの指示を受信し、
前記処理ユニットは、前記初期ロケーションにおいて開始する探索アルゴリズムを適用することから得られる前記輪郭を規定する、
請求項１に記載の診断支援システム。
【請求項３】
前記処理ユニットは、さらに、ランダムプロセスを使用して前記初期ロケーションを生成し、スーパーピクセルの前記初期セットは、前記初期ロケーションにスーパーピクセルを有する、
請求項１に記載の診断支援システム。
【請求項４】
前記処理ユニットは、さらに、前記初期ロケーション及び／又は前記更なるロケーションに探索エリアを設置することによって、スーパーピクセルの前記初期セット及び／又はスーパーピクセルの前記更なるセットを選択し、スーパーピクセルの前記初期セット及び／又はスーパーピクセルの前記更なるセットを、前記初期ロケーション及び／又は前記更なるロケーションの前記探索エリアに接触するスーパーピクセル領域のセットとして選択する、
請求項１から３のいずれか一項に記載の診断支援システム。
【請求項５】
前記処理ユニットは、さらに、前記画像情報内の探索エリアの設置を制限する探索経路を提供するために前記初期ロケーション及び前記更なるロケーションを選択し、前記探索経路は、外方への螺旋パターン、ランダムウォーク、又は外方に拡張する円のセットのうちの１つである、
請求項１から４のいずれか一項に記載の診断支援システム。
【請求項６】
前記処理ユニットは、さらに、前記第２の形態変数が停止値に達するまで、又は、プリセットされた回数の反復が終了するまで、反復する、
請求項１から５のいずれか一項に記載の診断支援システム。
【請求項７】
前記処理ユニットは、さらに、複数の初期ロケーションを生成し、前記複数の初期ロケーションのそれぞれの各初期ロケーションから開始する前記画像情報内の生物学的対象物の複数の候補輪郭を規定し、前記複数の候補輪郭をユーザに表示し、前記複数の候補輪郭内で輪郭のサブセットを選択するユーザ入力を受信し、前記複数の候補輪郭及び選択された前記輪郭のサブセットに基づいて教師あり学習情報を生成する、
請求項１から６のいずれか一項に記載の診断支援システム。
【請求項８】
前記第１の形態変数は前記初期セットの等周商であり、前記第２の形態変数は、前記初期セット及び前記更なるセットの前記結合体の等周商である、
請求項１から７のいずれか一項に記載の診断支援システム。
【請求項９】
前記画像情報は組織試料の顕微鏡画像であり、前記輪郭は細胞核の壁に対応する、
請求項１から８のいずれか一項に記載の診断支援システム。
【請求項１０】
画像情報内の生物学的対象物の輪郭を識別するための画像処理方法であって、前記画像処理方法は、
ａ）スーパーピクセルに分割されている画像情報を受信するステップと、
ｂ）前記画像情報内の初期ロケーションにおいて前記画像情報内のスーパーピクセルの初期セットを選択するステップと、
ｃ）スーパーピクセルの前記初期セットの第１の形態変数を決定するステップと、
ｄ）前記画像情報内の更なるロケーションにおいてスーパーピクセルの前記初期セットの１つのスーパーピクセルに隣接するスーパーピクセルの更なるセットを識別するステップと、
ｅ）スーパーピクセルの前記初期セット及び前記更なるセットの結合体の第２の形態変数を生成するステップと、
ｆ）前記初期セット及び前記更なるセットの前記結合体が、増加した形状コンパクト化を有することを前記第２の形態変数と前記第１の形態変数との比較が示す場合、前記画像情報内の生物学的対象物の前記輪郭をスーパーピクセルの前記初期セット及び前記更なるセットの前記結合体の境界として規定するステップと
を有する、画像処理方法。
【請求項１１】
ステップｂ）及び／又はステップｄ）にて、スーパーピクセルの前記初期セット及び／又はスーパーピクセルの前記更なるセットの選択は、
ｂ１）前記初期ロケーション及び／又は前記更なるロケーションに探索エリアを設置すること、
ｂ２）スーパーピクセルの前記初期セット及び／又は前記更なるセットを、前記初期ロケーション及び／又は前記更なるロケーションにおいて前記探索エリアに接触するスーパーピクセル領域のセットとして選択することに基づく、請求項１０に記載の画像処理方法。
【請求項１２】
前記第１の形態変数は前記初期セットの等周商であり、前記第２の形態変数は、前記初期セット及び前記更なるセットの前記結合体の等周商である、
請求項１０又は１１に記載の画像処理方法。
【請求項１３】
前記初期ロケーション及び前記更なるロケーションは、前記画像情報内の探索エリアの設置を制限する探索経路を提供するために選択され、前記探索経路は、外方への螺旋パターン、ランダムウォーク、又は外方に拡張する円のセットのうちの１つである、
請求項１０から１２のいずれか一項に記載の画像処理方法。
【請求項１４】
処理ユニット及び／又はコンピュータによって実行されると、請求項１０から１３のいずれか一項に記載の方法を実施する、請求項１から９のいずれか一項に記載の診断支援システムを制御するためのコンピュータプログラム。
【請求項１５】
請求項１４に記載のコンピュータプログラムを記憶した、コンピュータ可読媒体。
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
被験体における膵臓癌の疾患状態の決定を補助する方法であって、
前記被験体から得られたサンプルを、ＤＣ−ＳＩＧＮへ結合するＣＡ１９−９のグリコフォームのレベルについてアッセイすること、
前記サンプル中の前記レクチン結合ＣＡ１９−９のグリコフォームの検出されたレベルを、対照サンプルのそのレベル又は既定の閾値と比較すること、及び
前記比較に基づいて前記被験体における膵臓癌の疾患状態を決定すること、
を含む、上記方法。
【請求項２】
前記被験体から得られたサンプルをＣＡ１９−９タンパク質抗原についてアッセイすること、及び
前記サンプル中の前記１つ又は複数のバイオマーカーの検出されたレベルを、対照サンプルのそのレベル又は既定の閾値と比較すること、
をさらに含む、請求項１に記載の方法。
【請求項３】
前記サンプル中の前記グリコフォーム又は前記バイオマーカーのレベルが、対照サンプルのそのレベル又は既定の閾値と比較して、増加することが、前記被験体が前記癌を有すること又は有するリスクがあることを示す、請求項１又は２に記載の方法。
【請求項４】
前記癌をスクリーニング、診断、予後予測、又はモニタリングするための、請求項１〜３のいずれか一項に記載の方法。
【請求項５】
前記モニタリングが、前記癌の開始のモニタリングのため、前記癌を有するかもしくは発症するリスクの任意の変化のモニタリングのため、治療への応答のモニタリングのため、前記癌の再燃のモニタリングのため、又は前記癌の再発のモニタリングのためである、請求項４に記載の方法。
【請求項６】
バイオマーカーの前記１つ又は複数のレクチン結合グリコフォームのレベルについてアッセイすることが、
サンプル中に含有されるバイオマーカーを捕捉するために、前記バイオマーカーについて特異的な抗体へ前記サンプルをさらすこと、
前記捕捉されたバイオマーカーを１つ又は複数のレクチンへさらすこと、及び
検出可能シグナルの補助により、前記１つ又は複数のレクチンへの前記捕捉されたバイオマーカーの結合のレベルを測定すること、
を含む結合アッセイによって実行される、請求項１〜５のいずれか一項に記載の方法。
【請求項７】
バイオマーカーの前記１つ又は複数のレクチン結合グリコフォームのレベルについてアッセイすることが、
サンプル中に含有される前記バイオマーカーの１つ又は複数のレクチン結合グリコフォームを捕捉するために、１つ又は複数のレクチンへ前記サンプルをさらすこと、
前記捕捉されたバイオマーカーを該バイオマーカーに特異的な抗体へさらすこと、及び
検出可能シグナルの補助により、該バイオマーカーについて特異的な抗体への前記捕捉されたバイオマーカーの結合のレベルを測定すること、
を含む結合アッセイによって実行される、請求項１〜５のいずれか一項に記載の方法。
【請求項８】
前記レクチン又は前記抗体のいずれかがナノ粒子上で固定化される、請求項６又は７に記載の方法。
【請求項９】
前記サンプルが、尿、血液、血清、血漿、腹膜腔液体及び組織サンプルからなる群から選択される、請求項１〜８のいずれか一項に記載の方法。
【請求項１０】
ＣＡ１９−９結合剤及びＤＣ−ＳＩＧＮを含み、前記ＣＡ１９−９結合剤又は前記ＤＣ−ＳＩＧＮのいずれかが検出可能標識を含む、請求項１〜９のいずれか一項に記載の方法における使用のためのキット。
【請求項１１】
別のＣＡ−１９−９結合剤を更に含む、請求項１０に記載のキット。
【請求項１２】
ＳＢＡ、ＳＮＡ、ＰＮＡ、ＭＡＡ  ＩＩ、ＡＡＬ、ＵＥＡ、ＰＨＡ−Ｅ、ＲＣＡ、ＷＧＡ、ＷＦＡ、ＰＳＡ、ＶＶＬ、ＴＪＡ−ＩＩ、ＤＳＬ、ＨＰＡ、ＭＧＬ、ＤＣ−ＳＩＧＮ、ＭＭＲ、ＭＢＬ、シグレック−２、シグレック−３、シグレック−５、シグレック−９、シグレック−１０、シグレック−１１、ガレクチン−３、ガレクチン−４、Ｅ−セレクチン、ＤＳＬ、及びＧａｌ４からなる群から選択される１つ又は複数のレクチンをさらに含む、請求項１０又は１２に記載のキット。
【請求項１３】
前記レクチンがナノ粒子上で固定化される、請求項１０〜１２のいずれか一項に記載のキット。
【請求項１４】
前記ナノ粒子のすべての次元が、約１０００ｎｍ未満、約５００ｎｍ以下、約１００ｎｍ以下、又は約５０ｎｍ以下である、請求項８に記載の方法、又は請求項１３に記載のキット。
【請求項１５】
前記ナノ粒子が、タンパク質ナノ粒子、ミネラルナノ粒子、ガラスナノ粒子、ナノ粒子結晶、金属ナノ粒子、プラスチックナノ粒子、ポリスチレンナノ粒子、ポリ（エチレングリコール）ナノ粒子、ポリエチレンナノ粒子、ポリ（アクリル酸）ナノ粒子、ポリ（メチルメタクリレート）ナノ粒子、ポリサッカライドナノ粒子、コロイド金ナノ粒子、銀ナノ粒子、量子ドット、炭素ナノ粒子、多孔質シリカナノ粒子、及びリポソームからなる群から選択される、請求項１４に記載の方法又はキット。
【請求項１６】
前記ナノ粒子がランタニドキレート（ユウロピウム（ＩＩＩ）等）によりドープされる、請求項１４又は１５に記載の方法又はキット。
【請求項１７】
前記被験体から得られたサンプルを、ＤＣ−ＳＩＧＮへ結合するＣＡ１９−９グリコフォームのレベルについてアッセイすることによって、被験体における膵臓癌の疾患状態を決定するためのＤＣ−ＳＩＧＮの使用。
【請求項１８】
前記レクチンがナノ粒子上で固定化されるか、又は検出可能標識により標識される、請求項１７に記載の使用。
【請求項１９】
被験体における前記癌をスクリーニング、診断、予後予測及び／又はモニタリングするための、請求項１７又は１８に記載の使用。
【手続補正書】
【提出日】令和2年7月11日(2020.7.11)
【手続補正１】
【補正対象書類名】特許請求の範囲
【補正対象項目名】全文
【補正方法】変更
【補正の内容】
【特許請求の範囲】
【請求項１】
方法であって、
或る周波数を有する参照信号の第１及び第２のサンプルを受信することと、
異なる位相オフセットにおいて前記周波数を有する再構築された参照信号を生成することであって、前記第１及び第２のサンプルの間に補間することによることを含む、前記再構築された参照信号を生成することと、
物体に反射した信号を受信することであって、前記物体に反射した信号が前記物体からの前記参照信号の反射を含み、前記第１及び第２のサンプルが前記物体からの反射を含まない前記参照信号である、前記物体に反射した信号を受信することと、
前記再構築された参照信号を前記物体に反射した信号と相関させることによって相関を生成することと、
前記相関に基づいて位相を選択することと、
前記選択された位相に基づいて前記物体の距離を判定することと、
を含む、方法。
【請求項２】
請求項１に記載の方法であって、
前記参照信号がトランスデューサから送信される、方法。
【請求項３】
請求項１に記載の方法であって、
前記選択された位相が前記物体の距離に対応する、方法。
【請求項４】
請求項１に記載の方法であって、
前記異なる位相オフセットが前記第１のサンプルと前記第２のサンプルとの間にある、方法。
【請求項５】
請求項１に記載の方法であって、
前記相関がそれぞれのピーク値とそれぞれのサイドローブ値とを含む、方法。
【請求項６】
請求項５に記載の方法であって、
前記相関が前記異なる位相オフセットに対応する、方法。
【請求項７】
請求項６に記載の方法であって、
前記位相を選択することが、前記相関の最高ピーク値又は前記相関の最高ピーク対サイドローブ比の少なくとも１つに基づいて前記位相を選択することを含む、方法。
【請求項８】
請求項７に記載の方法であって、
前記選択された位相に基づいて遅延を判定することであって、前記遅延が前記距離に対応する、前記遅延を判定することを更に含む、方法。
【請求項９】
請求項８に記載の方法であって、
前記最高ピーク値の微細推定を判定するために前記最高ピーク値辺りの曲線フィット演算を行うことであって、前記最高ピーク値が前記遅延に対応する、前記曲線フィット演算を行うことを更に含む、方法。
【請求項１０】
装置であって、
出力を有する補間器であって、
或る周波数を有する参照信号の第１及び第２のサンプルを受信し、
前記第１及び第２のサンプルの間に補間することによることを含み、前記周波数を有する再構築された参照信号を生成し、
前記補間器の出力に前記再構築された参照信号を提供する、
ように構成される、前記補間器と、
出力と、前記補間器の出力に結合される入力とを有する相関器であって、
前記第１及び第２のサンプルが物体からの反射を含まない前記参照信号であり、前記物体からの前記参照信号の反射を含む前記物体に反射した信号を受信し、
前記再構築された参照信号を前記物体に反射した信号と相関させることによって相関を生成し、
前記相関器の出力に前記相関を提供する、
ように構成される、前記相関器と、
出力と、前記相関器の出力に結合される入力とを有する位相選択器であって、
前記相関に基づいて位相を選択し、
前記選択された位相に基づいて前記物体の距離を判定し、
前記位相選択器の出力に前記距離を提供する、
ように構成される、前記位相選択器と、
を含む、装置。
【請求項１１】
請求項１０に記載の装置であって、
前記参照信号を送信するトランスデューサを更に含む、装置。
【請求項１２】
請求項１０に記載の装置であって、
前記選択された位相が前記物体の距離に対応する、装置。
【請求項１３】
請求項１０に記載の装置であって、
前記異なる位相オフセットが前記第１のサンプルと前記第２のサンプルとの間にある、装置。
【請求項１４】
請求項１０に記載の装置であって、
前記相関がそれぞれのピーク値とそれぞれのサイドローブ値とを含む、装置。
【請求項１５】
請求項１４に記載の装置であって、
前記相関が前記異なる位相オフセットに対応する、装置。
【請求項１６】
請求項１５に記載の装置であって、
前記位相選択器が、前記相関の最高ピーク値又は前記相関の最高ピーク対サイドローブ比の少なくとも１つに基づいて前記位相を選択するように更に構成される、装置。
【請求項１７】
請求項１６に記載の装置であって、
前記位相選択器が、前記選択された位相に基づいて遅延を判定するように更に構成され、前記遅延が前記距離に対応する、装置。
【請求項１８】
請求項１７に記載の装置であって、
前記位相選択器が、前記最高ピーク値の微細推定を判定するために前記最高ピーク値辺りの曲線フィット演算を行うように更に構成され、前記最高ピーク値が前記遅延に対応する、装置。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
フラッシュメモリに対してリフレッシュ動作を実行する方法であって、
ホストから受信された値で前記フラッシュメモリの1つまたは複数のリフレッシュレジスタを設定するステップと、
前記1つまたは複数のリフレッシュレジスタにおいて設定された前記値に基づいて、前記フラッシュメモリに対して前記リフレッシュ動作を実行するステップと
を備え、前記1つまたは複数のリフレッシュレジスタを設定するステップが、
前記リフレッシュ動作のための開始/停止設定を示すように第1のレジスタを設定し、進行中のリフレッシュ動作を停止するように前記第1のレジスタをクリアするステップ、
前記リフレッシュ動作のための前記フラッシュメモリの1つまたは複数のターゲットメモリ区分のうちの少なくとも1つの区分を示すように第2のレジスタを設定するステップ、
第3のレジスタを設定するステップ、
前記リフレッシュ動作を実行するためのリフレッシュアルゴリズムを示すように第4のレジスタを設定するステップ、または
前記リフレッシュ動作を実行するためのリフレッシュレートを示すように第5のレジスタを設定するステップ
のうちの少なくとも1つを備える、方法。
【請求項２】
前記第2のレジスタを設定するステップを備え、
前記1つまたは複数のターゲットメモリ区分のすべてをリフレッシュするように前記第2のレジスタをフィールドで設定するステップをさらに備える、請求項1に記載の方法。
【請求項３】
前記第4のレジスタに基づいて、前記リフレッシュ動作のためのターゲット範囲内のすべてのデータセルをリフレッシュするステップをさらに備える、請求項1に記載の方法。
【請求項４】
前記第4のレジスタを設定するステップを備え、
前記リフレッシュ動作のためのターゲット範囲の所望の部分を選択的にリフレッシュするように前記第4のレジスタを設定するステップをさらに備える、請求項1に記載の方法。
【請求項５】
前記第5のレジスタを設定するステップを備え、
前記リフレッシュ動作が、前記第5のレジスタの設定によってトリガされる、請求項1に記載の方法。
【請求項６】
前記第1のレジスタを設定するステップを備える、請求項1に記載の方法。
【請求項７】
前記第1のレジスタ、前記第2のレジスタ、前記第3のレジスタ、前記第4のレジスタ、および前記第5のレジスタを設定するステップを備える、請求項1に記載の方法。
【請求項８】
フラッシュメモリを含む装置であって、前記フラッシュメモリが、
ホストから受信された値でプログラムされるように構成された1つまたは複数のリフレッシュレジスタを備え、
前記フラッシュメモリが、前記1つまたは複数のリフレッシュレジスタにおいてプログラムされた前記値に基づいてリフレッシュ動作を実行するように構成され、
前記1つまたは複数のリフレッシュレジスタが、
前記リフレッシュ動作のための開始/停止設定を示すようにプログラムされるように構成された第1のレジスタであって、前記第1のレジスタがクリアされたとき、前記フラッシュメモリが進行中のリフレッシュ動作を停止するように構成される、第1のレジスタ、
前記リフレッシュ動作のための前記フラッシュメモリの1つまたは複数のターゲットメモリ区分のうちの少なくとも1つの区分を示すようにプログラムされるように構成された第2のレジスタ、
第3のレジスタ、
前記フラッシュメモリに対して実行されるべき前記リフレッシュ動作のためのリフレッシュアルゴリズムを示すようにプログラムされるように構成された第4のレジスタ、または
前記リフレッシュ動作を実行するためのリフレッシュレートを示すようにプログラムされるように構成された第5のレジスタ
のうちの1つまたは複数を備える、装置。
【請求項９】
前記1つまたは複数のリフレッシュレジスタが、前記第2のレジスタを備え、
前記第2のレジスタが、前記1つまたは複数のターゲットメモリ区分のすべてをリフレッシュするフィールドで設定されるようにさらに構成される、請求項8に記載の装置。
【請求項１０】
前記1つまたは複数のリフレッシュレジスタが、前記第4のレジスタを備え、
前記第4のレジスタが、前記リフレッシュ動作のためのターゲット範囲内のすべてのデータセルをリフレッシュする非選択的状態に設定されるようにさらに構成される、請求項8に記載の装置。
【請求項１１】
前記1つまたは複数のリフレッシュレジスタが、前記第4のレジスタを備え、
ターゲット範囲内のすべてのデータセルが、前記第4のレジスタに基づいて、前記リフレッシュ動作のためリフレッシュされる、請求項8に記載の装置。
【請求項１２】
前記1つまたは複数のリフレッシュレジスタが、前記第5のレジスタを備え、
前記リフレッシュ動作が、前記第5のレジスタの値に基づいてトリガされる、請求項8に記載の装置。
【請求項１３】
前記1つまたは複数のリフレッシュレジスタが、前記第1のレジスタを備える、請求項8に記載の装置。
【請求項１４】
前記1つまたは複数のリフレッシュレジスタが、前記第1のレジスタ、前記第2のレジスタ、前記第3のレジスタ、前記第4のレジスタ、および前記第5のレジスタを備える、請求項8に記載の装置。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
オーディオ信号を処理するためのデバイスであって、
第１のオーディオ信号と第２のオーディオ信号との間の時間的ずれを示すチャネル間時間的ミスマッチ値を決定することと、前記第１のオーディオ信号と第２のオーディオ信号との間の相関のレベルを示す強度値を決定することとを行うように構成されたチャネル間時間的ミスマッチアナライザと、
前記チャネル間時間的ミスマッチ値が差分閾値を満たすかどうか、および前記チャネル間時間的ミスマッチ値に関連付けられた強度値が強度閾値を満たすかどうかに少なくとも部分的に基づいてチャネル間位相差（ＩＰＤ）モードを選択するように構成されたＩＰＤモードセレクタと、
前記第１のオーディオ信号と前記第２のオーディオ信号とに基づいてＩＰＤ値を決定するように構成されたＩＰＤ推定器、前記ＩＰＤ値は、前記選択されたＩＰＤモードに対応する分解能を有する、と
を備える、デバイス。
【請求項２】
前記チャネル間時間的ミスマッチアナライザは、前記チャネル間時間的ミスマッチ値に基づいて前記第１のオーディオ信号または前記第２のオーディオ信号のうちの少なくとも１つを調整することによって、第１のアラインされたオーディオ信号および第２のアラインされたオーディオ信号を生成するようにさらに構成され、前記第１のアラインされたオーディオ信号は、前記第２のアラインされたオーディオ信号に時間的にアラインされ、前記ＩＰＤ値は、前記第１のアラインされたオーディオ信号および前記第２のアラインされたオーディオ信号に基づく、
請求項１に記載のデバイス。
【請求項３】
前記第１のオーディオ信号または前記第２のオーディオ信号は、時間的に遅れているチャネルに対応し、前記第１のオーディオ信号または前記第２のオーディオ信号のうちの少なくとも１つを調整することは、前記チャネル間時間的ミスマッチ値に基づいて前記時間的に遅れているチャネルを非因果的にシフトすることを含む、
請求項２に記載のデバイス。
【請求項４】
前記選択されたＩＰＤモードに対応する前記分解能は、量子化分解能である、
請求項１に記載のデバイス。
【請求項５】
前記第１のオーディオ信号、調整された第２のオーディオ信号、および前記ＩＰＤ値に基づいて、周波数領域ミッドバンド信号を生成するように構成されたミッドバンド信号生成器、ここにおいて、前記チャネル間時間的ミスマッチアナライザは、前記チャネル間時間的ミスマッチ値に基づいて前記第２のオーディオ信号をシフトすることによって、前記調整された第２のオーディオ信号を生成するように構成される、と、
前記周波数領域ミッドバンド信号に基づいてミッドバンドビットストリームを生成するように構成されたミッドバンドエンコーダと、
前記ＩＰＤ値を示すステレオキュービットストリームを生成するように構成されたステレオキュービットストリーム生成器と
をさらに備える、請求項１に記載のデバイス。
【請求項６】
前記第１のオーディオ信号、前記調整された第２のオーディオ信号、および前記ＩＰＤ値に基づいて、周波数領域サイドバンド信号を生成するように構成されたサイドバンド信号生成器と、
前記周波数領域サイドバンド信号、前記周波数領域ミッドバンド信号、および前記ＩＰＤ値に基づいて、サイドバンドビットストリームを生成するように構成されたサイドバンドエンコーダと
をさらに備える、請求項５に記載のデバイス。
【請求項７】
前記ミッドバンドビットストリーム、前記ステレオキュービットストリーム、前記サイドバンドビットストリーム、またはそれらの組み合わせを含むビットストリームを送信するように構成された送信機をさらに備える、
請求項６に記載のデバイス。
【請求項８】
前記ＩＰＤモードは、第１のＩＰＤモードまたは第２のＩＰＤモードから選択され、前記第１のＩＰＤモードは、第１の分解能に対応し、前記第２のＩＰＤモードは、第２の分解能に対応し、前記第１のＩＰＤモードは、第１のオーディオ信号および第２のオーディオ信号に基づいている前記ＩＰＤ値に対応し、前記第２のＩＰＤモードは、ゼロに設定された前記ＩＰＤ値に対応する、
請求項１に記載のデバイス。
【請求項９】
前記分解能は、位相値の範囲、前記ＩＰＤ値のカウント、前記ＩＰＤ値を表す第１のビット数、バンド内の前記ＩＰＤ値の絶対値を表す第２のビット数、またはフレームにわたる前記ＩＰＤ値の時間的分散の量を表すための第３のビット数のうちの少なくとも１つに対応する、
請求項１に記載のデバイス。
【請求項１０】
前記ＩＰＤモードセレクタは、コーダタイプ、コアサンプルレート、または両方に少なくとも部分的に基づいて前記ＩＰＤモードを選択するようにさらに構成される、
請求項１に記載のデバイス。
【請求項１１】
アンテナと、
前記アンテナに結合され、かつ前記ＩＰＤモードおよび前記ＩＰＤ値を示すステレオキュービットストリームを送信するように構成された送信機と
をさらに備える、請求項１に記載のデバイス。
【請求項１２】
オーディオ信号を処理する方法であって、
デバイスにおいて、第１のオーディオ信号と第２のオーディオ信号との間の時間的ずれを示すチャネル間時間的ミスマッチ値および前記第１のオーディオ信号と第２のオーディオ信号との間の相関のレベルを示す強度値をを決定することと、
前記デバイスにおいて、前記チャネル間時間的ミスマッチ値が差分閾値を満たすかどうか、および前記チャネル間時間的ミスマッチ値に関連付けられた強度値が強度閾値を満たすかどうかに基づいてチャネル間位相差（ＩＰＤ）モードを選択することと、
前記デバイスにおいて、前記第１のオーディオ信号と前記第２のオーディオ信号とに基づいてＩＰＤ値を決定すること、前記ＩＰＤ値は、前記選択されたＩＰＤモードに対応する分解能を有する、と
を備える、方法。
【請求項１３】
前記デバイスは、前記チャネル間時間的ミスマッチ値が前記差分閾値を満たし、かつ前記チャネル間時間的ミスマッチ値に関連付けられた前記強度値が前記強度閾値を満たす場合、第１の分解能に対応する第１のＩＰＤモードを選択する、、
請求項１２に記載の方法。
【請求項１４】
前記デバイスは、前記チャネル間時間的ミスマッチ値が前記差分閾値を満たさないか、または前記チャネル間時間的ミスマッチ値に関連付けられた前記強度値が前記強度閾値を満たさない場合、第２の分解能に対応する第２のＩＰＤモードを選択する、
請求項１２に記載の方法。
【請求項１５】
コンピュータ可読記憶デバイスであって、プロセッサによって実行されるとき、前記プロセッサに、
第１のオーディオ信号と第２のオーディオ信号との間の時間的ずれを示すチャネル間時間的ミスマッチ値を決定することと、前記第１のオーディオ信号と第２のオーディオ信号との間の相関のレベルを示す強度値を決定することと、
前記チャネル間時間的ミスマッチ値が差分閾値を満たすかどうか、および前記チャネル間時間的ミスマッチ値に関連付けられた強度値が強度閾値を満たすかどうかに基づいてチャネル間位相差（ＩＰＤ）モードを選択することと、
前記第１のオーディオ信号または前記第２のオーディオ信号に基づいてＩＰＤ値を決定すること、前記ＩＰＤ値は、前記選択されたＩＰＤモードに対応する分解能を有する、と
を備える動作を行わせる命令を記憶する、コンピュータ可読記憶デバイス。
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
物理的環境を監視するためのコンピューティングクラウドであって、当該コンピューティングクラウドは、
プロジェクトデータ、診断データ及び環境メトリックデータのうちの少なくとも１つを格納するよう構成される１つ以上のデータ格納ユニットと、
ユーザが、少なくとも１つのプロジェクト階層を含むプロジェクトデータを少なくともグラフィカルに探すことを可能にする、及び少なくとも前記ユーザのクレデンシャルに基づいて１つ以上のアプリケーションモジュールへのグラフィカルアクセスを制御するよう構成されるシステムプロジェクトアプリケーションモジュールと、
を含み、
前記少なくとも１つのプロジェクト階層は、少なくとも１つのサイトに関連付けられ、前記少なくとも１つのサイトは、少なくとも１つの建物に関連付けられ、前記少なくとも１つの建物は、少なくとも１つのフロアに関連付けられ、前記少なくとも１つのフロアは、少なくとも１つのシステムデバイスに関連付けられ、
前記アプリケーションモジュールは、
前記少なくとも１つのプロジェクト階層に関連付けられる前記少なくとも１つの建物の仮想モデルの前記ユーザの作成及び操作をグラフィカルに容易にするよう構成されるシステムインテークアプリケーションモジュール、
前記ユーザが、１つ以上のシステムデバイスをコミッショニング、ローカライズ及び／又は展開することを可能にするよう構成されるシステムマップアプリケーションモジュール、及び
データ分析モジュールにより生成されるデータをグラフィカルに描写するよう構成されるシステムエネルギーアプリケーションモジュールであって、分析は、診断データ及び環境メトリックデータのうちの少なくとも１つを用いて行われる、システムエネルギーアプリケーションモジュール、
のうちの１つ以上を含む、コンピューティングクラウド。
【請求項２】
少なくとも前記ユーザに関するユーザアカウントを作成する、及び前記ユーザアカウントに１つ以上のクレデンシャルを割り当てるよう構成されるユーザ管理アプリケーションモジュールであって、前記クレデンシャルは、少なくとも役割及びログイン情報を含む、ユーザ管理アプリケーションモジュール
を含む、請求項１に記載のコンピューティングクラウド。
【請求項３】
ユーザアカウントに関連付けられる前記クレデンシャルを受信する、及び該クレデンシャルに基づいて、前記システムプロジェクトアプリケーションモジュールへのアクセスを制御するよう構成されるシステムログインアプリケーションモジュール
を含む、請求項２に記載のコンピューティングクラウド。
【請求項４】
システムエラーの指標をリモートで管理するよう構成されるシステム運用アプリケーションモジュールであって、前記システムエラーは、システムデバイスの運用におけるエラー、環境メトリックデータ収集又は分析におけるエラー、及びコミッショニング、ローカライズ又は展開におけるエラー、のうちの１つ以上を含む、システム運用アプリケーションモジュール
を含む、請求項１に記載のコンピューティングクラウド。
【請求項５】
コミッショニングは、ゲートウェイ及び建物サーバを介して、システムデバイスの一意の識別情報を、物理的空間の仮想モデル上の該システムデバイスの位置に関連付けることを含み、前記物理的空間は、建物のフロアを含む、請求項１に記載のコンピューティングクラウド。
【請求項６】
ローカライズは、システムデバイスを、物理的デバイスＩＤを含む該システムデバイスの一意の識別情報に基づいて、当該コンピューティングクラウドにより管理されるデバイスセットに追加すること、及び前記システムデバイスの前記物理的デバイスＩＤを、メモリ内の前記システムデバイスの仮想表現に関連付けられる仮想デバイスＩＤに関連付けることを含む、請求項１に記載のコンピューティングクラウド。
【請求項７】
展開は、システムデバイスにコンフィギュレーションデータを適用することを含み、前記コンフィギュレーションデータは、アンビエント照明における変化、占有における変化又は時間の経過を含むイベントに応答する前記システムデバイスの挙動を規定するために用いられる、請求項１に記載のコンピューティングクラウド。
【請求項８】
前記ユーザが、プロジェクトデータを少なくともグラフィカルに探すことを可能にすることは、前記プロジェクトデータに関連付けられるプロジェクト階層の１つ以上の部分への前記ユーザのアクセスを制限することを含み、該制限することは、前記システムプロジェクトアプリケーションモジュールがシステムユーザアプリケーションモジュールと対話することに基づき、前記システムユーザアプリケーションモジュールは、前記ユーザのクレデンシャルに少なくとも基づいてプロジェクトデータへのユーザのアクセス権を管理するよう構成される、請求項１に記載のコンピューティングクラウド。
【請求項９】
前記仮想モデルの前記操作は、
フロアプランデータを物理的又は仮想的フロアにグラフィカルに関連付けること、
物理的又は仮想的フロア内の１つ以上の領域を１つ以上のタイプの機能的空間にグラフィカルに関連付けること、
フロアの１つ以上の位置においてシステムデバイスをグラフィカルに描写すること、及び
コンフィギュレーションデータをフロアの１つ以上の領域又は１つ以上のシステムデバイスに関連付けること
のうちの１つ以上を含む、請求項１に記載のコンピューティングクラウド。
【請求項１０】
ユーザアカウントの前記ログイン情報は、ユーザ名及びパスワードを含み、前記システムプロジェクトアプリケーションモジュールが、前記ユーザに、プロジェクトデータを少なくともグラフィカルに探すことを可能にすることは、前記ユーザのクレデンシャルに少なくとも基づき、前記システムプロジェクトアプリケーションモジュールが、１つ以上のアプリケーションモジュールへのグラフィカルアクセスを制御することは、前記ユーザの役割に少なくとも基づく、請求項２に記載のコンピューティングクラウド。
【請求項１１】
前記システムプロジェクトアプリケーションモジュールは、前記ユーザが、階層的に少なくとも１つのプロジェクト階層を含むプロジェクトデータを少なくともグラフィカルに探すことを可能にし、該探すことは、１つ以上のサイトを含む前記プロジェクト階層の上位レベルで開始し、前記ユーザのクレデンシャルに基づいて、サイト内の１つ以上の建物、建物内の１つ以上のフロア及びフロア内の１つ以上のエリアを含む階層の下位レベルに進む、請求項１に記載のコンピューティングクラウド。
【請求項１２】
前記環境メトリックデータは、１つ以上のシステムデバイスの使用を示すデータを含み、前記システムデバイスは、ゲートウェイ、感知デバイス及び建物サーバを含み、前記診断データは、１つ以上のシステムデバイスの機能を示すデータを含む、請求項１に記載のコンピューティングクラウド。
【請求項１３】
建物は、自然な又は構築された物理的構造を含む、請求項４に記載のコンピューティングクラウド。
【請求項１４】
役割は、タスクベースであり、役割には、運用要員、インテーク技術者、インストーラー、コミッショナー、施設管理要員、財務要員、持続可能性要員及びエンドユーザの役割が含まれる、請求項１に記載のコンピューティングクラウド。
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
対象の変形性関節症の治療に使用するための医薬組成物であって、前記医薬組成物は、配列番号１に記載されるアミノ酸配列、またはそのフラグメントもしくは変異体、を含む少なくとも１種のペプチドを含み、配列番号１が：
Ｘ１−Ｔｙｒ−Ｘ２−Ｌｅｕ−Ｘ３−Ａｌａ−Ｇｌｙ−Ｘ４−Ｌｙｓ−Ａｓｎ−Ｐｈｅ−Ｐｈｅ−Ｘ５（配列番号１）
であり、式中、
Ｘ１は、空であるか、バリンであるか、または
Ｚ１−Ｖａｌ
Ａｓｐ−Ｚ１−Ｖａｌ
Ｓｅｒ−Ａｓｐ−Ｚ１−Ｖａｌ（配列番号５）
Ｚ２−Ｓｅｒ−Ａｓｐ−Ｚ１−Ｖａｌ（配列番号６）、および
Ｇｌｙ−Ｚ２−Ｓｅｒ−Ａｓｐ−Ｚ１−Ｖａｌ（配列番号７）
から選択される配列であり、
Ｚ１がアルギニンであり、かつＺ２がスレオニンであるか、あるいはＺ１がＳｅｒ−ＡｓｐまたはＳｅｒ−Ａｓｎであり、かつＺ２がアラニンであり、
Ｘ２は、Ｇｌｕ−Ｌｙｓ、Ｇｌｕ−Ｓｅｒ、およびＡｓｐ−Ｌｅｕから選択される配列であり、
Ｘ３は、空であるか、リジンであるか、または
Ｌｙｓ−Ａｓｐ
Ｌｙｓ−Ａｓｐ−Ｌｅｕ
Ｌｙｓ−Ａｓｐ−Ｌｅｕ−Ｇｌｕ（配列番号８）
Ｌｙｓ−Ａｓｐ−Ｌｅｕ−Ｇｌｕ−Ｇｌｕ（配列番号９）
Ｌｙｓ−Ａｓｐ−Ｌｅｕ−Ｇｌｕ−Ｇｌｕ−Ｇｌｙ（配列番号１０）
Ｌｙｓ−Ａｓｐ−Ｌｅｕ−Ｇｌｕ−Ｇｌｕ−Ｇｌｙ−ｌｌｅ（配列番号１１）
Ｌｙｓ−Ａｓｐ−Ｌｅｕ−Ｇｌｕ−Ｇｌｕ−Ｇｌｙ−ｌｌｅ−Ｇｌｎ（配列番号１２）
Ｌｙｓ−Ａｓｐ−Ｌｅｕ−Ｇｌｕ−Ｇｌｕ−Ｇｌｙ−Ｉｌｅ−Ｇｌｎ−Ｚ３（配列番号１３）、および
Ｌｙｓ−Ａｓｐ−Ｌｅｕ−Ｇｌｕ−Ｇｌｕ−Ｇｌｙ−Ｉｌｅ−Ｇｌｎ−Ｚ３−Ｌｅｕ（配列番号１４）
から選択される配列であり、
Ｚ３は、アラニンまたはスレオニンであり、
Ｘ４は、システイン、セリン、チロシン、フェニルアラニン、アスパラギン酸、グルタミン酸、アラニン、およびグリシンから選択されるアミノ酸残基であり、
Ｘ５は、空であるか、トリプトファン残基であるか、または
Ｔｒｐ−Ｌｙｓ
Ｔｒｐ−Ｌｙｓ−Ｔｈｒ
Ｔｒｐ−Ｌｙｓ−Ｔｈｒ−Ｐｈｅ（配列番号１５）
Ｔｒｐ−Ｌｙｓ−Ｔｈｒ−Ｐｈｅ−Ｔｈｒ（配列番号１６）
Ｔｒｐ−Ｌｙｓ−Ｔｈｒ−Ｐｈｅ−Ｔｈｒ−Ｓｅｒ（配列番号１７）
Ｔｒｐ−Ｌｙｓ−Ｔｈｒ−Ｐｈｅ−Ｔｈｒ−Ｓｅｒ−Ｘ６（配列番号１８）および
Ｔｒｐ−Ｌｙｓ−Ｔｈｒ−Ｐｈｅ−Ｔｈｒ−Ｓｅｒ−Ｘ６−Ｌｙｓ−Ｇｌｎ−Ａｌａ（配列番号１９）
から選択される配列であり、
Ｘ６は、システイン、セリン、チロシン、フェニルアラニン、アスパラギン酸、グルタミン酸、アラニン、およびグリシンから選択されるアミノ酸残基である、
医薬組成物。
【請求項２】
前記少なくとも１種のペプチドが、１１〜５０個のアミノ酸残基の範囲のアミノ酸配列で構成される、請求項１に記載の医薬組成物。
【請求項３】
前記少なくとも１種のペプチドが、２０〜３０個のアミノ酸残基の範囲のアミノ酸配列で構成される、請求項１または２に記載の医薬組成物。
【請求項４】
Ｘ１が、Ｇｌｙ−Ｚ２−Ｓｅｒ−Ａｓｐ−Ｚ１−Ｖａｌであり、
Ｘ５が、Ｔｒｐ−Ｌｙｓ−Ｔｈｒ−Ｐｈｅ−Ｔｈｒ−Ｓｅｒ−Ｘ６である、
請求項１〜３のいずれか１項に記載の医薬組成物。
【請求項５】
前記少なくとも１種のペプチドが、配列番号２、３、４、または２０：
Ｇｌｙ−Ａｌａ−Ｓｅｒ−Ａｓｐ−Ｓｅｒ−Ａｓｐ−Ｖａｌ−Ｔｙｒ−Ａｓｐ−Ｌｅｕ−Ｌｅｕ−Ａｌａ−Ｇｌｙ−Ｓｅｒ−Ｌｙｓ−Ａｓｎ−Ｐｈｅ−Ｐｈｅ−Ｔｒｐ−Ｌｙｓ−Ｔｈｒ−Ｐｈｅ−Ｔｈｒ−Ｓｅｒ−Ｓｅｒ（配列番号２）
Ｇｌｙ−Ａｌａ−Ｓｅｒ−Ａｓｐ−Ｓｅｒ−Ａｓｐ−Ｖａｌ−Ｔｙｒ−Ａｓｐ−Ｌｅｕ−Ｌｅｕ−Ｌｙｓ−Ａｌａ−Ｇｌｙ−Ｓｅｒ−Ｌｙｓ−Ａｓｎ−Ｐｈｅ−Ｐｈｅ−Ｔｒｐ−Ｌｙｓ−Ｔｈｒ−Ｐｈｅ−Ｔｈｒ−Ｓｅｒ−Ｓｅｒ（配列番号３）
Ｇｌｙ−Ｔｈｒ−Ｓｅｒ−Ａｓｐ−Ａｒｇ−Ｖａｌ−Ｔｙｒ−Ｇｌｕ−Ｌｙｓ−Ｌｅｕ−Ａｌａ−Ｇｌｙ−Ｓｅｒ−Ｌｙｓ−Ａｓｎ−Ｐｈｅ−Ｐｈｅ−Ｔｒｐ−Ｌｙｓ−Ｔｈｒ−Ｐｈｅ−Ｔｈｒ−Ｓｅｒ−Ｓｅｒ（配列番号４）
Ｇｌｙ−Ａｌａ−Ｓｅｒ−Ａｓｐ−Ｓｅｒ−Ａｓｎ−Ｖａｌ−Ｔｙｒ−Ａｓｐ−Ｌｅｕ−Ｌｅｕ−Ｌｙｓ−Ａｌａ−Ｇｌｙ−Ｓｅｒ−Ｌｙｓ−Ａｓｎ−Ｐｈｅ−Ｐｈｅ−Ｔｒｐ−Ｌｙｓ−Ｔｈｒ−Ｐｈｅ−Ｔｈｒ−Ｓｅｒ−Ｓｅｒ（配列番号２０）
の配列を含む、請求項１〜４のいずれか１項に記載の医薬組成物。
【請求項６】
前記対象は、Ｋｅｌｌｇｒｅｎ−Ｌａｗｒｅｎｃｅのグレード（またはＫ−Ｌシステム）によるグレード０、１、２または３の変形性関節症に罹患している、請求項１〜５のいずれか１項に記載の医薬組成物。
【請求項７】
治療される関節に関節内注射することにより投与される、請求項１〜６のいずれか１項に記載の医薬組成物。
【請求項８】
前記少なくとも１種のペプチドが、１０−３Ｍ〜１０−７Ｍの範囲の最終的な関節内濃度で投与されることになる、請求項１〜７のいずれか１項に記載の医薬組成物。
【請求項９】
１種以上の薬学的に許容される賦形剤を含む、請求項１〜８のいずれか１項に記載の医薬組成物。
【請求項１０】
薬学的単位剤形として提供される、請求項１〜９のいずれか１項に記載の医薬組成物。
【請求項１１】
前記薬学的単位剤形が、治療される関節の局所注射のための、使い捨ての、投与前のプレフィルドシリンジである、請求項１０に記載の医薬組成物。
【請求項１２】
少なくとも１種の関節内補充療法剤をさらに含む、請求項１〜１１のいずれか１項に記載の医薬組成物。
【請求項１３】
前記少なくとも１種の関節内補充療法剤がヒアルロン酸である、請求項１２に記載の医薬組成物。
【請求項１４】
前記少なくとも１種の関節内補充療法剤が、０．１％〜１０％の範囲の濃度のヒアルロン酸である、請求項１２または１３に記載の医薬組成物。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
対象の中枢神経系における体液の流れを増加させる方法であって、
中枢神経系における体液の流れの増加を必要とする対象を決定する工程;及び
必要とする対象の髄膜腔に、VEGFR3アゴニスト又は線維芽細胞増殖因子2(FGF2)の有効量を投与する工程を含み、
それによって、VEGFR3アゴニスト又はFGF2の前記量が、対象の髄膜リンパ管の直径を増加させる方法において使用するための、VEGFR3アゴニスト又はFGF2の有効量を含む組成物。
【請求項２】
体液の流れの増加を必要とする対象を決定する工程が、神経変性疾患を有する対象を決定する工程、神経変性疾患に対する危険因子を有する対象を決定する工程、又はその両方を含む、請求項1に記載の使用のための組成物。
【請求項３】
体液の流れの増加を必要とする対象を決定する工程が、アルツハイマー病を有する対象を決定する工程を含む、請求項2に記載の使用のための組成物。
【請求項４】
体液の流れの増加を必要とする対象を決定する工程が、アポリポタンパク質-E-イプシロン-4(apo-E-イプシロン-4)についての二倍体、apo-Jにおけるバリアント、ホスファチジルイノシトール結合クラスリン集合タンパク質(PICALM)におけるバリアント、補体受容体1(CR3)におけるバリアント、CD33(Siglee-3)におけるバリアント、若しくは骨髄細胞において発現するトリガー受容体2(TREM2)におけるバリアント、高齢、家族性AD、認知症の症状、又は列挙した危険因子のいずれかの組み合わせからなる群から選択されるADに対する危険因子を有する対象を決定する工程を含む、請求項2に記載の使用のための組成物。
【請求項５】
対象の中枢神経系が、アミロイドベータ斑を含み、体液の流れの増加が、アミロイドベータ斑の量を低減させる、請求項1から4のいずれか一項に記載の使用のための組成物。
【請求項６】
蓄積したアミロイドベータ斑の少なくとも一部が、対象の脳の髄膜にある、請求項5に記載の使用のための組成物。
【請求項７】
神経変性疾患又はそれに対する危険因子を有する対象における蓄積したアミロイドベータ斑の量を低減させる方法であって、
神経変性疾患又は前記危険因子を有する対象を決定する工程;及び
対象の髄膜腔に、VEGFR3アゴニスト又はFGF2を投与する工程を含み、
それによって、対象の中枢神経系における体液の流れが増加し、
それによって、対象における蓄積したアミロイドベータ斑の量が低減する、
方法において使用するための、VEGFR3アゴニスト又はFGF2を含む、組成物。
【請求項８】
VEGFR3アゴニスト又はFGF2を含む、組成物であって、対象の中枢神経系(CNS)からの分子のクリアランスを増加させ、増加したクリアランスが対象における神経変性疾患の症状を処置、予防又は改善する方法であって、
対象の髄膜腔に、前記組成物を投与する工程を含み、
それによって、対象のCNSにおける体液の流れが増加し、
それによって、対象のCNSからの分子のクリアランスが増加する、
方法において使用するための、組成物。
【請求項９】
対象のCNSからの分子のクリアランスの増加が、CNSから深頸リンパ節への分子の移動の割合の増加を含む、請求項8に記載の使用のための組成物。
【請求項１０】
神経変性疾患が、アルツハイマー病(AD)、認知症、パーキンソン病、脳浮腫、筋萎縮性側索硬化症(ALS)、小児自己免疫性溶連菌感染関連性精神神経障害(PANDAS)、髄膜炎、脳出血、自閉症スペクトラム障害(ASD)、脳腫瘍及びてんかんからなる群から選択される、請求項2から9のいずれか一項に記載の使用のための組成物。
【請求項１１】
VEGFR3アゴニストが、VEGF-c、VEGF-d、これらのアナログ、バリアント及び断片、又はこれらのいずれかの組み合わせからなる群から選択される、請求項1から10のいずれか一項に記載の使用のための組成物。
【請求項１２】
使用が、VEGFR3アゴニスト又はFGF2を、対象の髄膜腔に選択的に投与することを含む、請求項1から11のいずれか一項に記載の使用のための組成物。
【請求項１３】
方法が、経鼻投与、経頭蓋投与、対象の脳脊髄液(CSF)との接触、対象のCSFへのポンプ注入、頭蓋骨若しくは脳への埋入、対象の菲薄化頭蓋骨若しくは頭蓋骨の部分とVEGFR3アゴニスト若しくはFGF2との接触、VEGFR3アゴニスト若しくはFGF2をコードする核酸の対象における発現、又は列挙した経路のいずれかの組み合わせからなる群から選択される経路によって、組成物を対象に投与することを含む、請求項1から12のいずれか一項に記載の使用のための組成物。
【請求項１４】
増加する体液の流れが、脳脊髄液(CSF)、間質液(ISF)、又はその両方の流れの増加を含む、請求項1から13のいずれか一項に記載の使用のための組成物。